(57)【要約】【課題】多様な視聴形態に対応した視聴データを簡単に取得可能な視聴データ収集装置を実現する。【解決手段】ＴＳ（トランスポートストリーム）形式のデジタルテレビ放送信号のＴＳパケットフィルタリングを行うＴＳデコーダ１０５において、ビデオデコーダ１０６、オーディオデコーダ１０７、記録装置１０８に送出するＴＳパケットのＰＩＤフィルタリング設定方法を解析することで、リアルタイム視聴、視聴しながらの裏番組録画、追っかけ再生、録画済み番組の視聴といった視聴形態を判別し、より詳細な視聴データを収集することが可能となる。【選択図】      図１
2004320421.tif 000002
【特許請求の範囲】
【請求項１】
トランスポートストリーム形式で放送されるデジタルテレビ放送信号の視聴データを収集する視聴データ収集装置において、
前記テレビ放送信号の視聴形態を判別する判別手段と、
前記判別手段で判別した視聴形態の情報を記録する記録手段とを具備したことを特徴とする視聴データ収集装置。
【請求項２】
前記記録された視聴形態を表示する表示手段を具備したことを特徴とする請求項１記載の視聴データ収集装置。
【請求項３】
前記判別手段は、前記トランスポートストリームに含まれるＰＩＤ値と複数のＰＩＤフィルタのＰＩＤ（ｐａｃｋｅｔ  ｉｄｅｎｔｉｆｉｅｒ）値の設定値を解析することにより、視聴形態を判別することを特徴とする請求項１記載の視聴データ収集装置。
【請求項４】
前記視聴形態の情報に対し、番組の開始および終了時間、または視聴チャンネル情報に基づく番組情報を記録することを特徴とする請求項１記載の視聴データ収集装置。
【請求項５】
前記視聴形態は、少なくともオンエア視聴、追っかけ再生、裏番組録画であることを特徴とする請求項１記載の視聴データ収集装置。
【請求項６】
トランスポートストリーム形式で放送されるデジタルテレビ放送信号の視聴データを収集する視聴データ収集装置において、
前記テレビ放送信号の視聴形態を判別する判別手段と、
前記判別手段で判別した視聴形態の情報を記録する記録手段と、
前記記録手段に記録された視聴形態の情報を、視聴率を集計する視聴データ集計センターにネットワーク網を介して送信する送信手段と、を具備したことを特徴とする視聴データ取得装置。
【発明の詳細な説明】
【０００１】
【発明の属する技術分野】
この発明は、デジタルテレビ放送の視聴データを取得する視聴データ収集装置に関する。
【０００２】
【従来の技術】
従来テレビ放送の視聴率調査は、リアルタイム視聴とタイムシフト視聴の両者を視聴数としてカウントする番組視聴数情報管理装置が提案されている。（例えば、特許文献１）
【０００３】
【特許文献１】
特開２００２−３６９２２５公報（第４頁、図４）
【０００４】
【発明が解決しようとする課題】
上記した特許文献１の技術は、リアルタイム視聴、タイムシフト視聴のみの視聴データしか得ることができず、多様な視聴のあり方に対する視聴データとしては物足りないものがあった。
【０００５】
この発明の目的は、多様な視聴形態に対応可能な視聴データ収集装置を提供することにある。
【０００６】
【課題を解決するための手段】
上記した課題を解決するために、この発明の請求項１にかかる視聴データ収集装置は、トランスポートストリーム形式で放送されるデジタルテレビ放送信号の視聴データを収集するものであって、前記テレビ放送信号の視聴形態を判別する判別手段と、前記判別手段で判別した視聴形態の情報を記録する記録手段とを具備したことを特徴とする。
【０００７】
また、トランスポートストリーム形式で放送されるデジタルテレビ放送信号の視聴データを収集するものであって、前記テレビ放送信号の視聴形態を判別する判別手段と、前記判別手段で判別した視聴形態の情報を記録する記録手段と、前記記録手段に記録された視聴形態の情報を、視聴率を集計する視聴データ集計センターにネットワーク網に送信する送信手段と、を具備したことを特徴とする。
【０００８】
【発明の実施の形態】
以下、この発明の実施の形態について、図面を参照しながら詳細に説明する。
図１は、この発明の一実施の形態のデジタル放送受信機の概略的な構成図である。アンテナ１０１で受信されたデジタルテレビ放送信号は、チューナー１０２で選局を行い、復調部１０３で複数の番組より構成されるトランスポートストリーム（ＴＳ）を抽出し、デスクランブラ１０４でトランスポートストリームに掛けられたスクランブルを解除する。ＴＳ（トランスポートストリーム）デコード部１０５にはトランスポートストリームが入力され、ユーザが選局を指示した番組を選択し、ビデオデコーダ１０６に映像パケットを送り、オーディオデコーダ１０７に音声パケットを送って、映像と音声のデコード処理を行うことで、映像出力と音声出力を得ることができる。
【０００９】
ユーザから記録指示が行われた場合は、視聴者が指示した番組をトランスポートストリームの形式で記録装置１０８に格納する。
図２は、トランスポートストリームのパケット構成を示している。トランスポートストリームは、１８８ｂｙｔｅの固定長パケットが多重されたストリームからなる。パケットの種類は映像データ、音声データ、番組情報などがあり、各パケットのヘッダに付けられたＰＩＤ（ｐａｃｋｅｔ  ｉｄｅｎｔｉｆｉｅｒ）によって、パケットの種類が識別できる。
【００１０】
図３は、ＴＳデコーダ１０５の内部構成例を示す。ＴＳデコーダ１０５は、ＴＳパケットをフィルタリングするための複数のＰＩＤフィルタ３１１〜３１ｎからなる。この例の場合、ＰＩＤフィルタ３１３の後段にはセクションフィルタ３２１，３２２が設置されている。
【００１１】
入力されたトランスストリームのパケットヘッダの中に、ＰＩＤフィルタ３１１に設定されたＰＩＤと同じＰＩＤを持つＴＳパケットは、ＰＩＤフィルタ３１１によりフィルタリングされて、ＴＳ出力３３１に出力される。また、ＰＩＤフィルタ３１２に設定されたＰＩＤと同じＰＩＤを持つＴＳパケットは、ＰＩＤフィルタ３１２によりフィルタリングされて、ＴＳ出力３３２に出力される。
【００１２】
セクションフィルタ３２１、３２２はセクションパケットをフィルタリングするものである。ここで、セクションとはトランスポートストリーム中の番組情報などを伝達するために送信され、セクションヘッダを持つセクション形式のデータである。セクションフィルタはこのセクションヘッダに書かれたテーブルＩＤの比較を行うことでセクションパケットをフィルタリングする。
【００１３】
一般的にセクションパケットは、ＰＩＤフィルタでフィルタリングされたものに対してセクションフィルタをかける場合が多い。ビデオとオーディオのパケットはセクション形式ではないためＰＩＤフィルタリングのみを行い、ビデオデコーダまたはオーディオデコーダに必要なパケットを抽出する。番組情報はセクション形式で送られるためセクションフィルタで抽出する。
【００１４】
ＴＳデコード部１０５において記録装置に格納するＴＳパケットのＰＩＤを設定することで、記録装置１０８に所望の番組を記録することができる。記録装置１０８に記録された番組を再生するときはＴＳデコード部１０５にストリームを送り、映像と音声のＰＩＤフィルタを設定することで録画番組を視聴できる。
【００１５】
ここで視聴形態別のＴＳデコード部１０５のＰＩＤフィルタの設定方法について説明する。
まず、リアルタイム視聴のみの場合はビデオデコーダ１０６、オーディオデコーダ１０７にストリームを送るために、視聴用のビデオＰＩＤ値をＰＩＤフィルタ３１１に、オーディオＰＩＤ値をＰＩＤフィルタ３１２にそれぞれ合わせて設定する。
【００１６】
視聴しながら裏番組を録画する場合は、ＰＩＤフィルタ３１１，３１２のそれぞれのＰＩＤ値の設定に加えて、記録装置１０８に記録するストリームに対するビデオＰＩＤ値をＰＩＤフィルタ３１４に設定し、オーディオＰＩＤ値をＰＩＤフィルタ３１５に設定する。このとき視聴用ＰＩＤ値と記録用ＰＩＤ値は、番組が異なるため異なっている。
【００１７】
追っかけ再生（記録している番組の時間をずらして視聴する）の場合は、ＰＩＤフィルタの設定方法は裏番組録画と同じであるが、視聴用ＰＩＤフィルタ３１１と記録用ＰＩＤフィルタ３１４のＰＩＤ値が同じになり、視聴用ＰＩＤフィルタ３１２と記録用ＰＩＤフィルタ３１５のＰＩＤ値が同じになる。
【００１８】
録画した番組を視聴する場合は、記録装置１０８からストリームを読み出しＴＳデコード部１０５に入力し、記録装置１０８に格納されているストリームのビデオとオーディオのＰＩＤ値を設定して視聴する。
【００１９】
一般にＴＳデコード部１０５のＰＩＤフィルタ設定はソフトウェアで実装されるため、上記の視聴形態別のＰＩＤフィルタ設定方法はソフトウェアで検知できる。視聴形態判別のフローチャートを図４に示す。
【００２０】
オンエア視聴用のＰＩＤフィルタ設定を行い（Ｓ１）、かつ記録装置格納用のＰＩＤフィルタ設定をしていない場合は、リアルタイム視聴と判別できる（Ｓ２）。ステップＳ１において、オンエア視聴用のＰＩＤフィルタ設定を行わず、記録装置からの番組視聴用ＰＩＤフィルタ設定を行った場合は録画番組視聴と判別できる（Ｓ３）。
【００２１】
ステップＳ１において、オンエア視聴用のＰＩＤフィルタ設定を行いかつステップＳ２において記録装置格納用のＰＩＤフィルタ設定を行い、かつステップＳ４において両者のＰＩＤ設定値が同じ場合は、追っかけ再生しているものと判別できる。ステップＳ１においてオンエア視聴用のＰＩＤフィルタ設定を行い、かつステップＳ２において記録装置格納用のＰＩＤフィルタ設定を行い、かつステップＳ４において両者のＰＩＤ設定値が異なる場合は裏番組録画しているものと判別できる。
【００２２】
ＰＩＤフィルタの設定は、上記ソフトウェアで行うため、設定を行った時の時刻データを高い精度で取得することができる。番組を視聴している時間は視聴用のＰＩＤフィルタを設定した時刻からＰＩＤフィルタを変更した時刻までとなる。
【００２３】
図５に視聴用データのフォーマット例を示す。視聴チャンネルと視聴開始時刻と視聴終了時刻、視聴形態、裏番組録画の場合のチャンネルを記録する。視聴開始時刻および視聴終了時刻は、ＰＩＤフィルタ設定を行ったときの時刻であり秒単位の精度を持つ。追っかけ再生をした場合の時刻情報は視聴する番組を判別できるように、録画開始および録画停止の時刻を記録する。
【００２４】
図６はユーザーが視聴または記録した番組の番組名称を視聴データとして記録した例である。セクションパケットの中でＥＩＴ（Ｅｖｅｎｔ  Ｉｎｆｏｒｍａｔｉｏｎ  Ｔａｂｌｅ）と呼ばれるパケットは、番組の名称、放送日時、内容の説明などの番組に関する情報が記述されている。
【００２５】
図７を用いてＥＩＴの構造について説明する。ｅｖｅｎｔ＿ｉｄに対象イベント（番組）のＩＤが記述され、ｓｔａｒｔ＿ｔｉｍｅに対象イベントの番組開始時刻（時分秒）が記述され、ｄｕｒａｔｉｏｎには対象イベントの番組長（時分秒）が記述される。ｄｅｓｃｒｉｐｔｏｒ（）の部分に対象イベントの番組名が記述される。デジタル放送受信機は、ＴＳデコード部１０５においてＥＩＴセクションをフィルタリングし、受信機内部に保存し内容を解析することで、ユーザーが視聴中あるいは記録中の番組の番組名称を視聴データに記録することができる。
【００２６】
この実施の形態では、リアルタイム視聴、追っかけ再生、裏番組録画を行いながらの視聴、録画番組の視聴といった異なる視聴形態に対する、視聴データを高精度で簡単に取得することが可能である。
【００２７】
図８は、この発明の他の実施の形態について説明するための構成図である。この実施の形態は、視聴データを視聴データ集計センタに送信するものであり、視聴データを送信する手段としてネットワーク網を使用して、視聴データをリアルタイムに送信することを可能としている。
【００２８】
ネットワーク網（インターネット）３００を使って視聴データを送信するためにデジタル放送受信機１００は、ネットワーク送信インターフェース部１１０を内蔵し、視聴データ集計センター２００は、ネットワーク受信インターフェース部２０１を持つ。ＴＳデコード部１０５のＰＩＤフィルタリング設定方法から視聴形態を判別した図５および図６に示す視聴データは、視聴データ蓄積部１０９に蓄積され、予め決められた時間ごとにネットワーク送信インターフェース部１２１を介してネットワーク網３００に送出され、視聴データ集計センターではネットワーク受信インターフェース部２０１から視聴データを受信し、視聴データ集計部２０２に送られて視聴率などの目的に応じた情報に加工される。加工元となる視聴データにはユーザーの視聴形態が記載されているため、ユーザーの番組に対する興味の度合いを反映させた情報に加工することができる。
【００２９】
例えば、裏番組録画している場合は録画中の番組よりも視聴中の番組の方がユーザーの興味が高いことがわかり、追っかけ再生している場合はその番組を録画した後に再生するよりも早く視聴したい、すなわちユーザーはその番組に対して興味を持っていることがわかる。また、ユーザーに視点を移した場合、視聴形態からユーザーの好みを推測することも可能である。
【００３０】
この実施の形態では、番組を視聴または記録している受信機からの視聴データをインターネットを通じて集計することで、リアルタイムな視聴率を得ることが可能である。また、番組放送中に視聴率を知ることが可能なため、番組の視聴率が悪い場合、番組スポンサーがインターネットで番組視聴を宣伝するなどの対策を講じることも可能となる。さらに視聴を行っているすべての受信機からの視聴データを収集することにより、統計的な視聴率よりも信頼性の高い視聴率を得ることができる。
【００３１】
【発明の効果】
以上説明したように、この発明のデジタル放送受信機によれば、リアルタイム視聴、追っかけ再生、裏番組録画を行いながらの視聴、録画番組の視聴等の異なる視聴形態に対して、視聴データを高精度で簡単に取得可能な視聴データ収集装置を提供することができる。
【図面の簡単な説明】
【図１】この発明の一実施の形態について説明するための構成図。
【図２】トランスポートストリームの構成について説明するための説明図。
【図３】図１のＴＳデコード部の内部構成図。
【図４】この発明の視聴形態判別について説明するためのフローチャート。
【図５】この発明の視聴データフォーマット例について説明するための説明図。
【図６】この発明の視聴データフォーマット例について説明するための説明図。
【図７】ＥＩＴパケット構造について説明するための説明図。
【図８】この発明の他の実施の形態について説明するための構成図。
【符号の説明】
１００…デジタル放送受信機
２００…視聴データ集計センター
３００…ネットワーク網
１０１…アンテナ
１０２…チューナ
１０３…復調部
１０４…デスクランブラ
１０５…ＴＳデコード部
１０６…ビデオデコーダ
１０７…オーディオデコーダ
１０８…記録装置
１０９…視聴データ蓄積部
１１０…ネットワーク送信インターフェース部
２０１…ネットワーク受信インターフェース部
２０２…視聴データ集計部
【図１】
2004320421.tif 000003
【図２】
2004320421.tif 000004
【図３】
2004320421.tif 000005
【図４】
2004320421.tif 000006
【図５】
2004320421.tif 000007
【図６】
2004320421.tif 000008
【図７】
2004320421.tif 000009
【図８】
2004320421.tif 000010